(57)【要約】【課題】４色リニアＣＣＤ（ＲＧＢに白黒専用を追加）を使用した画像読取装置で、プレビューをＲＧＢセンサだけ読取ると、本スキャンで白黒を選択したときに、プレビューと本スキャンで濃度差等の誤差が生じるのを防ぐ事を目的とする。【解決手段】カラー用リニアＣＣＤと白黒用リニアＣＣＤとプリスキャンしてプレビューデーターを読取る機能とを有し、プリスキャン時はカラー用と白黒用の両方を同時に使用することを特徴とする。プレビューデーターをそれぞれ第一メモリ、第二メモリに記憶して、本スキャンモードに応じて、選択的に使用することを特徴とする。【選択図】        図１
2004180196.tif 000002
【特許請求の範囲】
【請求項１】
カラー読取機能を備えた第１のリニアイメージセンサー部と、
グレイスケールあるいは白黒２値専用の第２のリニアイメージセンサー部と、
本スキャンに先だって、本スキャンの解像度以下の低解像度でプリスキャンを行いプレビュー画像データーを読み取る機能とを有し、
第１のリニアイメージセンサー部と、第２のリニアイメージセンサー部とを両方同時に使用してプリスキャンを行いプレビュー画像データーを読み取ることを特徴とする画像読取装置。
【請求項２】
請求項１に記載の画像読取装置において、
第１のリニアイメージセンサー部を使用して読取ったプレビュー画像データーを記憶する第１のメモリと、第２のリニアイメージセンサー部を使用して読取ったプレビュー画像データーを記憶する第２のメモリと、
第１のメモリ又は第２のメモリの画像データーをプレビュー画像としてディスプレイ上に表示するプレビュー手段と、
本スキャンをカラーか、グレイスケールか、白黒２値か、いずれで行うかを選択でき、更に読取り解像度を選択できる読取りモード選択手段を備え、
前記読取りモード選択手段の結果に従い、プレビュー表示を行う際に使用するプレビュー画像データーを、前記第１のメモリ又は前記第２のメモリのいずれか一方から選択するプレビュー選択手段を有することを特徴とする画像読取装置。
【請求項３】
請求項２に記載のプレビュー選択手段は、
請求項１に記載の第２のリニアイメージセンサー部が前記第１のリニアイメージセンサー部よりも解像度が低い場合でかつ、
前記本スキャン用リニアイメージセンサー部選択手段は、前記読取りモード選択手段において、選択された読取りモードがグレイスケールあるいは白黒２値でかつ解像度が第２のリニアイメージセンサー部の持つ解像度以下の場合が選択されたの場合にのみ、
前記第２のメモリのプレビュー画像データーを選択する。
それ以外の読取りモードの場合は前記第１のメモリのプレビュー画像データーを選択することを特徴とする画像読取装置。
【発明の詳細な説明】
【０００１】
【発明の属する技術分野】
本発明は、リニアイメージセンサーにおいて、カラー用ＲＧＢ３ラインセンサーに加えてグレイスケールあるいは白黒２値用のラインセンサーを有する画像読取装置に関する。
【０００２】
【従来の技術】
従来、リニアイメージセンサーは３つ（赤（Ｒ）、緑（Ｇ）、青（Ｂ））のラインセンサーを有し、それぞれにＲ，Ｇ，Ｂのフィルタを備えてカラー読取を行っていた。そしてグレイスケールあるいは白黒２値読取時には、Ｇのみ、あるいは、ＲＧＢ３ラインセンサーを利用していた。最近ではラインセンサーの解像度は１２００ｄｐｉが標準的な値になっているが、プリスキャン時には、一旦、ＲＧＢ３ラインセンサーを利用して７５ｄｐｉや１００ｄｐｉなどの低い解像度で画像を読み込んだ後、本スキャンモードに従い、カラー読み取り時はプリスキャン画像をカラーで表示し、グレイ読み取り時や白黒２値読み取り時はカラー画像データーからＧのみのデーターだけを抽出したり、あるいはＲＢＧデーターを処理してグレイデータや２値データーを生成してプレビューしていた。
【０００３】
【発明が解決しようとする課題】
しかし近年では、ＲＧＢ３ラインセンサーに加えて第２のラインセンサー（ＢＫ）を備え、これに可視光フィルタを備えてグレイスケールあるいは白黒２値読取に使用する構造のリニアイメージセンサーが登場している。この利点は、ＲＧＢフィルタよりも可視光フィルタの方が光の透過量が多いため、リニアイメージセンサーの光電子蓄積時間を短くできることにある。その結果、グレイスケールあるいは白黒２値読取の場合に読取時間を早くすることができる、あるいは、画像信号のノイズを相対的に減らすことができる。
【０００４】
一方、リニアイメージセンサーの解像度は益々高解像度化しているが、高解像度化は受光面積の減少や転送画素数の増大により読取り速度の低下や画像ノイズの増大を招いてしまう。そこでラインセンサー（ＢＫ）の持つ解像度はＲＧＢ３ラインセンサーよりも低い解像度とすることで、ラインセンサー（ＢＫ）を用いた読取り時には読取り速度の低下や画像ノイズの増大を招かないようにする方法もある。
【０００５】
上述のリニアイメージセンサーを用いた画像読取り装置に対して従来のようにグレイスケールや白黒２値のプレビュー画像をＲＧＢ３ラインセンサーのデーターから生成する方法では、本スキャンにラインセンサー（ＢＫ）を使った場合に、ラインセンサー（ＢＫ）とは濃度直線性や分光特性などの各種特性の違いがあり、本スキャンに比べて画像誤差の多いプレビューとなってしまう。
【０００６】
そこで、本発明は上述の構造のリニアイメージセンサーを用いた場合にプレビューと本スキャンでの画像誤差を少なくすることを目的とする。
【０００７】
【課題を解決するための手段】
このような画像誤差を少なくする目的を達成するために、本発明は、
カラー読取機能を備えた第１のリニアイメージセンサー部と、グレイスケールあるいは白黒２値専用の第２のリニアイメージセンサー部とを備えた画像読取装置で、本スキャンに先だって本スキャンの解像度以下の低解像度でプリスキャンを行いプレビュー画像データーを読み取る機能とを有し、
第１のリニアイメージセンサー部と、第２のリニアイメージセンサー部とを両方同時に使用してプリスキャンを行いプレビュー画像データーを読み取る。
【０００８】
第１のリニアイメージセンサー部を使用して読取ったプレビュー画像データーを記憶する第１のメモリと、第２のリニアイメージセンサー部を使用して読取ったプレビュー画像データーを記憶する第２のメモリを有し、第１のメモリ又は第２のメモリの画像データーをプレビュー画像としてディスプレイ上に表示するプレビュー手段を有する。
【０００９】
本スキャンで使用するリニアイメージセンサー部は本スキャンの読取りモードに応じて選択する。
【００１０】
本スキャンの読み取りモードはカラーか、グレイスケールか、白黒２値か、いずれで行うかを選択でき、更に読取り解像度を選択できる。
【００１１】
前記読取りモード選択手段の結果に従い、プレビュー表示を行う際に使用するプレビュー画像データーを、前記第１のメモリ又は前記第２のメモリのいずれか一方から選択するプレビュー選択手段を有する。
【００１２】
前記第２のリニアイメージセンサー部が前記第１のリニアイメージセンサー部よりも解像度が低い画像読取装置の場合には、
前記プレビュー選択手段は、前記読取りモード選択手段において、選択された読取りモードがグレイスケールあるいは白黒２値でかつ解像度が第２のリニアイメージセンサー部の持つ解像度以下の場合が選択されたの場合にのみ、
前記第２のメモリのプレビュー画像データーを選択する。
【００１３】
それ以外の読取りモードの場合は前記第１のメモリのプレビュー画像データーを選択する。
【００１４】
【発明の実施の形態】
（実施例）
以下に図面を参照して本発明の実施例を説明する。
【００１５】
図１は、画像読取装置の本体断面概略図である。
【００１６】
１０１は原稿台ガラス、１０２は白色基準板、１０３は光学キャリッジ、１０４は１０３内に設置されたリニアイメージセンサー、１０５はホームポジションセンサー、１０６は光学キャリッジ１０３を駆動するステッピングモーター。１０７は駆動ベルト。
【００１７】
ステッピングモーター１０６が回転し、駆動力は駆動ベルト１０７を伝わって光学キャリッジ１０３が移動する。本実施例の場合は、図面向かって右から左（図中の矢印方向）に移動しながら原稿台上に設置された原稿を読み取る。
【００１８】
電源（不示図）投入時には、初期動作を行い、光学キャリッジ１０３がホームポジションにあることを確認する。その手順を簡単に説明すると、まず、ホームポジションセンサー１０５が光学キャリッジ１０３を検出しているかどうか判定し、検出していればそのままの状態を保つ。検出していなければキャリッジを図面向かって左から右に、ホームポジションセンサーが検出するまで動かす。検出すると、モーターを停止する。この位置をホームポジション基準位置として記憶し、以降の読取動作の基準とする。
【００１９】
次に、自動キャリブレーションを行う。キャリブレーションはリニアイメージセンサーや光学系の濃度ムラを補正して、正しい濃度の画像を得るために行う。この手順も簡単に説明する。光学キャリッジ１０３がホームポジションにあると、読取領域はちょうど白色基準板１０２となる。白色基準板を読み取り、その値を元に、キャリブレーションデーターを作成する。原稿の画像読取時にはこのキャリブレーションデーターとイメージセンサーの出力を演算して正しい濃度の画像を得る。
【００２０】
図２は、本発明の実施例のリニアイメージセンサー１０４の概略図である。
【００２１】
赤（Ｒ）用ラインセンサー２０１、緑（Ｇ）用ラインセンサー２０２、青（Ｂ）用ラインセンサー２０３、グレイスケールあるいは白黒２値（ＢＫ）用ラインセンサー２０４を備えている。図２中の矢印方向を副走査方向とし、相対的に原稿画像がこの方向に移動する。
【００２２】
ＲＧＢ各ラインセンサーは１０６８０個の受光画素が４ｕｍ毎に並んでいる。ＢＫラインセンサーは５３４０個の受光画素が８ｕｍ毎に並んでいる。また、Ｒ−Ｇ間およびＧ−Ｂ間の距離は６４ｕｍ、Ｂ−ＢＫ間の距離は１２８ｕｍである。本実施例では、光学倍率により、このリニアイメージセンサーをＲＧＢは１２００ｄｐｉ、ＢＫは６００ｄｐｉの解像度で使用する。１２００ｄｐｉを１ラインとすると、Ｒ−Ｇ間、Ｇ−Ｂ間は６４／４＝１６ライン、Ｂ−ＢＫ間は１２８／４＝３２ラインはなれている。
【００２３】
ＢＫラインセンサーはグレイスケールあるいは白黒２値専用に設計され、ＲＧＢ各ラインセンサーに比べて受光波長域が広いため、入射光量が多い。その上、受光画素の面積が４倍あるため、ＲＧＢ各ラインセンサーに比べてはるかに受光感度が高く、露光時間が短くて済み、画像ノイズの点で有利である。また、総画素数が少ないため、蓄積電荷の転送時間も少なくて済む。
【００２４】
図３は、光学キャリッジ１０３の断面構成概念図である。
【００２５】
３０１、３０２、３０３、３０４、３０５はミラーで、原稿面の画像を反射させてリニアイメージセンサー１０４までの光路長を確保する。光路途中、レンズ３０６を設置して原稿面の画像をリニアイメージセンサー１０４上に集光する。
【００２６】
図から分かるように、Ｒ，Ｇ，Ｂ，ＢＫは原稿面上でそれぞれ異なった位置の画像を読み、前述したようにＲ−Ｇ間、Ｇ−Ｂ間は１６ライン、Ｂ−ＢＫ間は３２ライン離れている。
【００２７】
図４は、本発明の実施の形態を最も良くあらわす図で、画像読取装置の制御ブロック図である。Ｒ、Ｇ、Ｂ、ＢＫラインセンサー（２０１，２０２，２０３，２０３）の出力はそれぞれＡ／Ｄ変換部４０１、４０２、４０３、４０４でデジタルデータに変換される。Ｒの出力は３２ライン遅延バッファＲＡＭ４０５に送られ、Ｇの出力は１６ライン遅延バッファＲＡＭ４０６に送られ、Ｂの出力は遅延なしで通過して、Ｒ、Ｇ、Ｂの読取位相を合わせる。ＢＫの出力はＲＧＢとは関係なく遅延なしで通過する。
【００２８】
次にシェーディング処理部４０７にデーターが送られる。シェーディング処理部４０７では、ＣＰＵを含んだシステム制御部４１１からの制御により、シェーディングＲＡＭ４０９からシェーディング係数が引き出されてシェーディングが行われる。画像データーは次にインターフェース制御部４０８に送られ、システム制御部４１１の制御の下、バッファＲＡＭ４１０に画像データーを蓄積しながらホストコンピューター４１２に画像データーを転送する。
【００２９】
ホストコンピューター内ではメモリが装着されており、Ｒ、Ｇ、Ｂラインセンサー（２０１，２０２，２０３）の出力データーはメモリ４１３内の第１メモリ部に記憶され、ＢＫラインセンサー２０３の出力データーはメモリ４１３内の第２メモリ部に記憶される。
【００３０】
プレビュー選択部４１４は、読取りモード選択部４１５によって制御され、第１メモリ部あるいは第２メモリ部のいずれかを選択する。表示処理部４１６はメモリ内の画像データーを表示するために、ＲＧＢカラーからグレイスケールへの変換や表示領域に合わせて拡大・縮小処理や画像の切り取りを行い、画像データーを表示装置４１７に送って、プレビューする。
【００３１】
読取りモード選択部４１５の動作は図８を用いて後述する。
【００３２】
また、システム制御部４１１は、モーター駆動部４１３を制御してステッピングモーター１０６を動かす。
【００３３】
図示していないが、前述のステッピングモーター１０６が１ステップ回転すると、光学キャリッジ１０３は１ライン移動するように構成されている。
【００３４】
図５は、副走査方向の画像の読取開始タイミングを表す。
【００３５】
図中のモーターパルスは、１パルスが１ラインに相当する。前述したように、光学キャリッジ１０３は電源投入時のホームポジション基準位置から動き始める。所定のパルス数分、光学キャリッジ１０３を動かした後、副走査方向の画像データーの読取を開始する。実際にはイメージセンサーからの出力は常時有るので、その出力を有効なデーターとする事を読取開始とする。
【００３６】
図中のカラー（Ｂ）読取開始タイミングはＢラインセンサーのタイミングである。システム制御部４１１はこのタイミング信号をインターフェース制御部４０８に送ってホストコンピューター４１２へのデータ−転送を制御する。Ｒラインセンサーについては３２ライン遅延バッファ４０５によってＢラインセンサーよりも３２ライン分先読みしたデーターが遅延して読み取られる。Ｇラインセンサーについては１６ライン遅延バッファ４０６よってＢラインセンサーよりも１６ライン分先読みしたデーターが遅延して読み取られる。
【００３７】
一方、ＢＫラインセンサーを使ったグレイスケールあるいは白黒２値読取の場合は、カラー（Ｂ）読取開始タイミングよりも３２パルス（３２ライン分）遅れたタイミングで読取を開始する。
【００３８】
これにより、Ｒ，Ｇ，Ｂ３ラインセンサーを用いたカラー読取時と、ＢＫラインセンサーを用いたグレイスケールあるいは白黒２値読取時で、原稿上の読取開始位置が厳密に同じになる。
【００３９】
図６は、読取モードのカラーモードをホストコンピューター上で選択する時の操作画面、図７は、読取モードの出力解像度をホストコンピューター上で選択する時の操作画面である。
【００４０】
使用者は、本スキャンがカラーかあるいはグレイスケールあるいは白黒２値のいずれかで行うことを選択できる。同様に解像度も選択できる。
【００４１】
図８は、読取モードに応じてどのメモリ部を選択してプレビューを行うかを示すフローチャートである。
【００４２】
ホストコンピューター上で設定された読取モードに応じて、カラー読取の場合（Ｓ１）は第１メモリ部を選択する。グレイスケールあるいは白黒２値（Ｓ２）でかつ、６００ｄｐｉ以下の場合（Ｓ３）、第２メモリ部を選択する。６００ｄｐｉよりも大きい場合（Ｓ４）はＲＧＢの３ラインセンサーの内の第１メモリ部を選択し、表示処理部４１６内でグレイスケールあるいは白黒２値化される。
【００４３】
以上説明したように、本実施例では、１２００ｄｐｉ解像度でカラー読取機能を持つＲ，Ｇ，Ｂリアイメージセンサー部と、６００ｄｐｉの解像度でグレイスケールあるいは白黒２値専用のＢＫリニアイメージセンサー部とを持つリニアイメージセンサーを備える。
【００４４】
プリスキャン時には２つのセンサー部を同時に使用して画像データーを得る。画像データーはホストコンピューター内のメモリ部に記憶され、本スキャンの読取モードに応じて選択して表示する。
【００４５】
具体的には、カラー読取の場合と、６００ｄｐｉよりも大きい場合はＲＧＢの３ラインセンサーでプリスキャンした画像データーを選択してプレビューする。グレイスケールあるいは白黒２値でかつ、６００ｄｐｉ以下の場合、ＢＫラインセンサーでプリスキャンした画像データーを選択してプレビューする。
【００４６】
【発明の効果】
以上説明したように、本発明によれば、カラー読取機能を備えた第１のリニアイメージセンサー部と、グレイスケールあるいは白黒２値専用の第２のリニアイメージセンサー部とを備えた画像読取装置において、
第１のリニアイメージセンサー部と、第２のリニアイメージセンサー部とを両方同時に使用してプリスキャンを行いプレビュー画像データーを読み取ることで、
本スキャンとプリスキャンで同じセンサー部のデーターを使用できるため、
本スキャンとプリスキャンの画像誤差を少なくすることができる。これによってプレビューでの画像確認が正確に行えるようになる。
【００４７】
また、プリスキャンで読取った第１と第２のリニアイメージセンサー部によるプレビュー画像データーを記憶して選択的に表示する手段を有することで、プリスキャン後に操作者が読取モードを切り替えても、再プリスキャンの必要がなく、操作性の向上が図れる。
【図面の簡単な説明】
【図１】本実施例の画像読取装置の本体断面概略図
【図２】本実施例のリニアイメージセンサー１０４の概略図
【図３】本実施例の光学キャリッジ１０３の断面構成概念図
【図４】本実施例の画像読取装置の制御ブロック図
【図５】本実施例の副走査方向の画像の読取開始タイミング図
【図６】本実施例の読取りモード選択の操作画面１
【図７】本実施例の読取りモード選択の操作画面２
【図８】本実施例の読取りモードに応じたフローチャート
【符号の説明】
１０３  光学キャリッジ
１０４  リニアイメージセンサー
１０６  ステッピングモーター
２０１  Ｒラインセンサー
２０２  Ｇラインセンサー
２０３  Ｂラインセンサー
２０４  ＢＫラインセンサー
【図１】
2004180196.tif 000003
【図２】
2004180196.tif 000004
【図３】
2004180196.tif 000005
【図４】
2004180196.tif 000006
【図５】
2004180196.tif 000007
【図６】
2004180196.tif 000008
【図７】
2004180196.tif 000009
【図８】
2004180196.tif 000010